(57)【要約】      （修正有）【課題】人や飛来物などが高温になった太陽熱集熱装置に接触するおそれがなく、安全性を向上させた太陽熱集熱装置を備えた建物を提供する。【解決手段】パラボラ型の太陽熱集熱装置３が設置された太陽熱集熱装置を備えた建物１Ａにおいて、太陽熱集熱装置３の周囲に、少なくとも太陽光の入射側の一部乃至全体が透光性であるカバー部材４Ａが設けられた構成とされている。【選択図】図１
2010121272.tif 000002
【特許請求の範囲】
【請求項１】
パラボラ型の太陽熱集熱装置が設置された太陽熱集熱装置を備えた建物であって、
前記太陽熱集熱装置の周囲に、少なくとも太陽光の入射側の一部乃至全体が透光性であるカバー部材が設けられていることを特徴とする太陽熱集熱装置を備えた建物。
【請求項２】
前記カバー部材は、断熱性及び不燃性を有することを特徴とする請求項１に記載の太陽熱集熱装置を備えた建物。
【請求項３】
前記太陽熱集熱装置は、ペントハウス内に設けられており、当該ペントハウスの一部乃至全体が前記カバー部材であることを特徴とする請求項１又は２に記載の太陽熱集熱装置を備えた建物。
【請求項４】
前記カバー部材の少なくとも一面は、前記太陽熱集熱装置の反射板の傾斜と略同じ向きに傾斜して設けられていることを特徴とする請求項３に記載の太陽熱集熱装置を備えた建物。
【請求項５】
前記太陽熱集熱装置は、屋根内に設けられており、その屋根面に前記カバー部材が設けられていることを特徴とする請求項１又は２に記載の太陽熱集熱装置を備えた建物。
【請求項６】
前記屋根は傾斜屋根であり、この傾斜した屋根面に、前記カバー部材が設けられていることを特徴とする請求項５に記載の太陽熱集熱装置を備えた建物。
【請求項７】
屋根が平屋根であり、当該平屋根の上に前記太陽熱集熱装置が設置されており、前記カバー部材は、その周囲を囲うドーム形状とされていることを特徴とする請求項１又は２に記載の太陽熱集熱装置を備えた建物。
【請求項８】
前記カバー部材の内部に前記太陽熱集熱装置が略密閉された温室空間が形成されており、当該温室空間内の暖気を屋内空間の暖房に利用可能とされていることを特徴とする請求項１又は２に記載の太陽熱集熱装置を備えた建物。
【請求項９】
前記建物は、建物本体が建物ユニットから成るユニット建物であり、前記太陽熱集熱装置及び前記カバー部材は、前記建物ユニットに予め取り付けられていることを特徴とする請求項１乃至８のいずれか１項に記載の太陽熱集熱装置を備えた建物。
【発明の詳細な説明】
【技術分野】
【０００１】
本発明は、太陽熱集熱装置を備えた建物に関するものである。
【背景技術】
【０００２】
近年、国家・自治体レベルや企業レベルにとどまらず、家庭レベルにおいても省エネルギーの意識が高まりつつある。
【０００３】
こうしたことから、建物に太陽熱集熱装置を設置して、この自然の熱エネルギーを電気エネルギーなどに変換して利用することがなされている。
【０００４】
この太陽熱集熱装置としては、集熱効率の良いパラボラ型のものがあり、建物の屋根や側部などに設置して使用されている（特許文献１などを参照）。
【特許文献１】特開２００７−８１０９７号公報
【発明の開示】
【発明が解決しようとする課題】
【０００５】
しかしながら、従来、上記したパラボラ型の太陽熱集熱装置は、太陽光を浴びた際には、受光集熱部はもとより、その周辺も、かなりの高温になるにもかかわらず、建物から突出して剥き出しのまま設置されていた。
【０００６】
このため、人が誤って、高温になったこのパラボラ型の太陽熱集熱装置に触れてしまったりすると、火傷を負ってしまう危険性がある。
【０００７】
また、鳥や洗濯物などの飛来物が、高温になったこのパラボラ型の太陽熱集熱装置に接触すると、その接触物が燃えてしまう危険性もある。
【０００８】
そこで、本発明は、人や飛来物などが高温になった太陽熱集熱装置に接触するおそれがなく、安全性を向上させた太陽熱集熱装置を備えた建物を提供することを目的としている。
【課題を解決するための手段】
【０００９】
前記目的を達成するために、本発明の太陽熱集熱装置を備えた建物は、パラボラ型の太陽熱集熱装置が設置された太陽熱集熱装置を備えた建物であって、前記太陽熱集熱装置の周囲に、少なくとも太陽光の入射側の一部乃至全体が透光性であるカバー部材が設けられていることを特徴とする。
【００１０】
ここで、前記カバー部材は、断熱性及び不燃性を有するとよい。
【００１１】
また、前記太陽熱集熱装置は、ペントハウス内に設けられており、当該ペントハウスの一部乃至全体が前記カバー部材であってもよい。
【００１２】
さらに、前記カバー部材の少なくとも一面は、前記太陽熱集熱装置の反射板の傾斜と略同じ向きに傾斜して設けられているとよい。
【００１３】
また、前記太陽熱集熱装置は、屋根内に設けられており、その屋根面に前記カバー部材が設けられていてもよい。
【００１４】
さらに、前記屋根は傾斜屋根であり、この傾斜した屋根面に、前記カバー部材が設けられているとよい。
【００１５】
また、屋根が平屋根であり、当該平屋根の上に前記太陽熱集熱装置が設置されており、前記カバー部材は、その周囲を囲うドーム形状とされていてもよい。
【００１６】
さらに、前記カバー部材の内部に前記太陽熱集熱装置が略密閉された温室空間が形成されており、当該温室空間内の暖気を屋内空間の暖房に利用可能とされていてもよい。
【００１７】
また、前記建物は、建物本体が建物ユニットから成るユニット建物であり、前記太陽熱集熱装置及び前記カバー部材は、前記建物ユニットに予め取り付けられていてもよい。
【発明の効果】
【００１８】
このような本発明の太陽熱集熱装置を備えた建物は、パラボラ型の太陽熱集熱装置の周囲に、少なくとも太陽光の入射側の一部乃至全体が透光性であるカバー部材が設けられた構成である。
【００１９】
こうした構成なので、カバー部材に遮られているため、人や飛来物などが高温になった太陽熱集熱装置に接触するおそれがなく、安全性を向上させることができる。
【００２０】
そのうえ、太陽熱集熱装置がカバー部材の内部にあるため、風による集熱効果の低下を防止することができる。
【００２１】
ここで、カバー部材が、断熱性及び不燃性を有する場合は、その内部の太陽熱集熱装置が万一異常な高温になっても、カバー部材の外側面が異常に熱くなることはないし、燃えてしまうこともない。
【００２２】
また、太陽熱集熱装置が、ペントハウス内に設けられており、このペントハウスの一部乃至全体がカバー部材である場合は、建物本体と一体感を有する意匠的美観を呈するものとすることができる。
【００２３】
さらに、カバー部材の少なくとも一面が、太陽熱集熱装置の反射板の傾斜と略同じ向きに傾斜して設けられている場合は、このカバー部材の傾斜した面から、ペントハウスを介して建物本体が受ける風荷重を低減することができる。
【００２４】
また、太陽熱集熱装置が、屋根内に設けられており、その屋根面にカバー部材が設けられている場合は、建物本体と一体感を有する意匠的美観を呈するものとすることができる。
【００２５】
さらに、屋根が傾斜屋根であり、この傾斜した屋根面に、カバー部材が設けられている場合は、この傾斜したカバー部材を介して建物本体が受ける風荷重を低減することができる。
【００２６】
また、屋根が平屋根であり、この平屋根の上に太陽熱集熱装置が設置されており、カバー部材は、その周囲を囲うドーム形状とされている場合は、様々な角度からの太陽光を略損失なく入射させることができるため、特に太陽熱集熱装置が太陽の方向に追従するタイプのときに適している。
【００２７】
そのうえ、ドーム形状という形状の特性上、カバー部材を介して建物本体が受ける風荷重を低減することができる。
【００２８】
さらに、カバー部材の内部に太陽熱集熱装置が略密閉された温室空間が形成されており、温室空間内の暖気を屋内空間の暖房に利用可能とされている場合は、太陽熱集熱装置で集熱しきれなかった太陽熱を温室空間内に蓄えておき、この残りの熱も利用できるため、太陽熱エネルギーの利用効率をアップさせることができる。
【００２９】
また、建物は、建物本体が建物ユニットから成るユニット建物であり、太陽熱集熱装置及びカバー部材が、建物ユニットに予め取り付けられている場合は、太陽熱集熱装置及びカバー部材を後付けする施工手間が省けるため、施工性を向上させることができる。
【発明を実施するための最良の形態】
【００３０】
以下、本発明を実現する最良の形態を、図面に示す実施例１〜７に基づいて説明する。
【実施例１】
【００３１】
先ず、実施例１について説明する。
【００３２】
図１は、実施例１の太陽熱集熱装置を備えた建物１Ａの概略構成を示している。
【００３３】
この建物１Ａは、基礎Ｂ上に、建物本体１０が構築され、屋根としての平屋根２の上に、パラボラ型の太陽熱集熱装置３が設置され、その周囲を囲んで箱形の断熱性及び不燃性を有する透明なガラスなどから成るカバー部材４Ａが設けられている。
【００３４】
ここで、このパラボラ型の太陽熱集熱装置３としては、図２に示したように、反射板３１と、この反射板３１の裏側から支持腕３２により反射板３１の表側の焦点位置に支持された受光集熱部３３と、反射板３１を支持する支柱３４とから主に構成された汎用品が用いられている。
【００３５】
また、カバー部材４Ａが、その内部に太陽熱集熱装置３を設けたペントハウス５Ａとされている。
【００３６】
そして、太陽熱集熱装置３は、建物１Ａ内に設けられた図示を省略したスターリングエンジンコンジェネレーション（ＳＥコンジェネ）などのエネルギー変換装置と接続されている。
【００３７】
次に、実施例１の作用効果について説明する。
【００３８】
このような実施例１の太陽熱集熱装置を備えた建物１Ａは、パラボラ型の太陽熱集熱装置３の周囲に、透光性であるカバー部材４Ａが設けられた構成である。
【００３９】
こうした構成なので、カバー部材４Ａに遮られているため、人や飛来物などが高温になった太陽熱集熱装置３に接触するおそれがなく、安全性を向上させることができる。
【００４０】
そのうえ、太陽熱集熱装置３がカバー部材４Ａの内部にあるため、風による集熱効果の低下を防止することができる。
【００４１】
ここで、カバー部材４Ａは、断熱性及び不燃性を有するので、その内部の太陽熱集熱装置３が万一異常な高温になっても、カバー部材４Ａの外側面が異常に熱くなることはないし、燃えてしまうこともない。
【００４２】
また、太陽熱集熱装置３が、ペントハウス５Ａ内に設けられており、このペントハウス５Ａの全体をカバー部材４Ａにより形成しているので、建物本体１０と一体感を有する意匠的美観を呈するものとすることができる。
【実施例２】
【００４３】
次に、実施例２について説明する。
【００４４】
なお、上記実施例１で説明した内容と同一乃至均等な部分の説明については同一符号を付して説明する。
【００４５】
この実施例２の太陽熱集熱装置を備えた建物１Ｂでは、図３に示したように、ペントハウス５Ｂを形成しているカバー部材４Ｂの太陽光の入射側の面のみが太陽熱集熱装置３の反射板３１の傾斜と略同じ向きに傾斜した構成とされている。
【００４６】
すなわち、この建物１Ｂでは、カバー部材４Ｂの太陽光の入射側の面が、太陽熱集熱装置３の反射板３１の傾斜と略同じ向きに傾斜して設けられているので、この傾斜した面から、ペントハウス５Ｂを介して建物本体１０が受ける風荷重を低減することができることが、上記実施例１と主に異なる。
【００４７】
また、建物１Ｂは、ペントハウス５Ｂの形状からも、上記実施例１の建物１Ａとは異なる意匠的美観を呈するものとなる。
【００４８】
なお、他の構成及び作用効果については、上記実施例１と略同様であるので説明を省略する。
【実施例３】
【００４９】
次に、実施例３について説明する。
【００５０】
なお、上記実施例１で説明した内容と同一乃至均等な部分の説明については同一符号を付して説明する。
【００５１】
この実施例３の太陽熱集熱装置を備えた建物１Ｃでは、図４に示したように、ペントハウス５Ｃは、カバー部材４Ｃと階段室６とを一体化して形成されており、平屋根２の周囲には、手摺り７が設けられた構成とされている。
【００５２】
すなわち、この建物１Ｃでは、ペントハウス５Ｃが、カバー部材４Ｃと階段室６とを一体化して形成されているため、このペントハウス５Ｃが多機能を有することが、上記実施例１と主に異なる。
【００５３】
また、建物１Ｃは、ペントハウス５Ｃの形状や手摺り７が有ることなどからも、上記実施例１の建物１Ａとは異なる意匠的美観を呈するものとなる。
【００５４】
なお、他の構成及び作用効果については、上記実施例１と略同様であるので説明を省略する。
【実施例４】
【００５５】
次に、実施例４について説明する。
【００５６】
なお、上記実施例１で説明した内容と同一乃至均等な部分の説明については同一符号を付して説明する。
【００５７】
この実施例４の太陽熱集熱装置を備えた建物１Ｄでは、図５に示したように、屋根が傾斜屋根２０とされ、この傾斜屋根２０内に太陽熱集熱装置３が設けられ、この傾斜屋根２０の太陽光が入射する傾斜屋根面に、カバー部材４Ｄが設けられた構成とされている。
【００５８】
すなわち、この建物１Ｄでは、太陽熱集熱装置３が、屋根としての傾斜屋根２０内に設けられており、その屋根面にカバー部材４Ｄが設けられているので、建物本体１０と一体感を有する意匠的美観を呈するものとすることができる。
【００５９】
また、屋根が傾斜屋根２０であり、この傾斜した屋根面に、カバー部材４Ｄが設けられているので、この傾斜したカバー部材４Ｄを介して建物本体１０が受ける風荷重を低減することができる。
【００６０】
これらのことが、上記実施例１と主に異なる。
【００６１】
また、建物１Ｄは、傾斜屋根２０の形状などからも、上記実施例１の建物１Ａとは異なる意匠的美観を呈するものとなる。
【００６２】
なお、他の構成及び作用効果については、上記実施例１と略同様であるので説明を省略する。
【実施例５】
【００６３】
次に、実施例５について説明する。
【００６４】
なお、上記実施例１で説明した内容と同一乃至均等な部分の説明については同一符号を付して説明する。
【００６５】
この実施例５の太陽熱集熱装置を備えた建物１Ｅでは、図６に示したように、平屋根２の上に太陽の方向に追尾するタイプの太陽熱集熱装置３が設置されており、その周囲に、ドーム形状のカバー部材４Ｅが設けられている。
【００６６】
また、カバー部材４Ｅの内部は、仕切り材８で仕切られており、隣には、スターリングエンジンコンジェネレーション（ＳＥコンジェネ）などのエネルギー変換装置をはじめとした機械装置９も設置された構成とされている。
【００６７】
すなわち、この建物１Ｅでは、ドーム形状のカバー部材４Ｅが、様々な角度からの太陽光を略損失なく入射させることができるため、太陽の方向に追従するタイプの太陽熱集熱装置３を設置することに適している。
【００６８】
そのうえ、ドーム形状という形状の特性上、カバー部材４Ｅを介して建物本体１０が受ける風荷重を低減することができる。
【００６９】
これらのことが、上記実施例１と主に異なる。
【００７０】
また、建物１Ｅは、カバー部材４Ｅの形状などからも、上記実施例１の建物１Ａとは異なる意匠的美観を呈するものとなる。
【００７１】
さらに、スターリングエンジンコンジェネレーション（ＳＥコンジェネ）などのエネルギー変換装置をはじめとした機械装置９の占有スペースを建物本体１０の外側に確保することができる。
【００７２】
なお、他の構成及び作用効果については、上記実施例１と略同様であるので説明を省略する。
【実施例６】
【００７３】
次に、実施例６について説明する。
【００７４】
なお、上記実施例１で説明した内容と同一乃至均等な部分の説明については同一符号を付して説明する。
【００７５】
この実施例６の太陽熱集熱装置を備えた建物１Ｆでは、図７に示したように、カバー部材４Ａで形成されたペントハウス５Ａの内部に太陽熱集熱装置３が略密閉された温室空間５０が形成されており、ペントハウス５Ａの底側にあたる平屋根２にファン１２を有する吹出孔１１と逆流防止弁１５を有する吸込孔１６とが設けられている。
【００７６】
そして、温室空間５０内の暖気が、吹出孔１１からダクト１３を介して屋内機１４から屋内空間１００を対流し、吸込孔１６から温室空間５０内へ戻るようにして、暖房を行うことが可能な構成とされている。
【００７７】
なお、屋内機１４は、温室空間５０内の熱量が不足したときは、太陽熱集熱装置３で集めた熱エネルギーを、これと接続された図示省略のスターリングエンジンコンジェネレーション（ＳＥコンジェネ）などのエネルギー変換装置により電気エネルギーに変換し、この電気エネルギーによっても暖房運転が可能なように実施してもよい。
【００７８】
また、吹出孔１１からダクト１３を介して屋内機１４を複数の部屋にそれぞれ設置して実施してもよい。
【００７９】
すなわち、この建物１Ｆでは、カバー部材４Ａの内部に太陽熱集熱装置３が略密閉された温室空間５０が形成されており、温室空間５０内の暖気を屋内空間１００の暖房に利用可能とされているので、太陽熱集熱装置３で集熱しきれなかった太陽熱を温室空間５０内に蓄えておき、この残りの熱も利用できるため、太陽熱エネルギーの利用効率をアップさせることができることが、上記実施例１と主に異なる。
【００８０】
なお、他の構成及び作用効果については、上記実施例１と略同様であるので説明を省略する。
【実施例７】
【００８１】
次に、実施例７について説明する。
【００８２】
なお、上記実施例１で説明した内容と同一乃至均等な部分の説明については同一符号を付して説明する。
【００８３】
この実施例７の太陽熱集熱装置を備えた建物１Ｇでは、図８に示したように、建物本体１０が建物ユニット１ａ，１ｂから成るユニット建物である。
【００８４】
そして、建物ユニット１ｂには、平屋根２ｂが工場などで予め取り付けられており、建物ユニット１ａには、平屋根２ａに加え、太陽熱集熱装置３及びカバー部材４Ａから形成されるペントハウス５Ａが、工場などで予め取り付けられた構成とされている。
【００８５】
すなわち、この建物１Ｇでは、建物本体１０が建物ユニット１ａ，１ｂから成るユニット建物であり、平屋根２ａ，２ｂと、太陽熱集熱装置３及びカバー部材４Ａから形成されるペントハウス５Ａとが、建物ユニット１ａ，１ｂに予め取り付けられているので、平屋根２ａ，２ｂと、太陽熱集熱装置３及びカバー部材４Ａから形成されるペントハウス５Ａを後付けする施工手間が省けるため、施工性を向上させたことが、上記実施例１と主に異なる。
【００８６】
なお、他の構成及び作用効果については、上記実施例１と略同様であるので説明を省略する。
【００８７】
以上、図面を参照して、本発明の最良の実施の形態について実施例１〜７をもとに詳述してきたが、具体的な構成は、上記した実施例１〜７に限らず、本発明の要旨を逸脱しない程度の設計的変更は、本発明に含まれる。
【００８８】
例えば、上記実施例１〜７では、建物１Ａ〜１Ｇを、説明が簡単なように、単純な平屋の構造としたが、これに限定されず、より複雑な構造として実施してもよい。
【００８９】
また、上記実施例１〜７では、カバー部材４Ａ〜４Ｅの全体が透光性を有するようにして実施したが、これに限定されず、例えば、太陽光の入射側のみを透光性を有するように実施してもよい。
【００９０】
さらに、上記実施例１〜７では、カバー部材４Ａ〜４Ｅとして、断熱性及び不燃性を有するガラスなどを用いたが、これに限定されず、例えば、太陽熱集熱装置３から十分な距離を設けるようにすれば、アクリルなどを用いて実施してもよい。
【図面の簡単な説明】
【００９１】
【図１】実施例１の太陽熱集熱装置を備えた建物の概略構成を示す説明図である。
【図２】実施例１に用いられる太陽熱集熱装置の概略構成を示す説明図である。
【図３】実施例２の太陽熱集熱装置を備えた建物の概略構成を示す説明図である。
【図４】実施例３の太陽熱集熱装置を備えた建物の概略構成を示す説明図である。
【図５】実施例４の太陽熱集熱装置を備えた建物の概略構成を示す説明図である。
【図６】実施例５の太陽熱集熱装置を備えた建物の概略構成を示す説明図である。
【図７】実施例６の太陽熱集熱装置を備えた建物の概略構成を示す説明図である。
【図８】実施例７の太陽熱集熱装置を備えた建物の概略構成を示す説明図である。
【符号の説明】
【００９２】
１Ａ〜１Ｇ      建物
１ａ，１ｂ      建物ユニット
１０    建物本体
２，２ａ，２ｂ      平屋根（屋根）
２０    傾斜屋根（屋根）
３      太陽熱集熱装置
３１    反射板
４Ａ〜４Ｅ      カバー部材
５Ａ〜５Ｃ      ペントハウス
５０    温室空間
１００  屋内空間
【図１】
2010121272.tif 000003
【図２】
2010121272.tif 000004
【図３】
2010121272.tif 000005
【図４】
2010121272.tif 000006
【図５】
2010121272.tif 000007
【図６】
2010121272.tif 000008
【図７】
2010121272.tif 000009
【図８】
2010121272.tif 000010